(57)【要約】【課題】操作者が操作入力したテキスト内容に対し関連性の高いテンプレートを能率的に精選して提唱し、利便性を向上する。【解決手段】操作端末２のＣＰＵ１２は、キーワードリストを取得し、操作者によるテキスト情報を順次取得する。また、キーワードリストに含まれる複数のオブジェクトキーワードのうち、順次取得されるテキスト情報に合致するものを抽出する。そして、抽出されたオブジェクトキーワードに対応付けられたカテゴリグループ名を取得する。また、テキスト情報に合致するオブジェクトキーワードが抽出される都度、当該オブジェクトキーワードに対応付けて取得されたカテゴリグループに対するカウント値を増大させる。そして、所定のタイミングにおける、カウント値が最も多いカテゴリグループを決定し、当該カテゴリグループに対して予め対応付けられていたテンプレートＴを、所定の順序で表示部１７に表示する。【選択図】図４
2013205984.tif 000002
【特許請求の範囲】
【請求項１】
搬送される被印字媒体に対し所望の印字オブジェクトの形成を行って印字ラベルを作成する印字ラベル作成装置に接続されるとともに、操作者が操作可能な操作手段、所定の表示を行う表示手段、及び演算手段を備えた操作端末の前記演算手段に対し、
複数の印字オブジェクト配置枠が所定の態様で割り付けられて構成された複数のテンプレートの検索用に予め設定された複数のオブジェクトキーワードのうち、互いに関連のある２以上のオブジェクトキーワードごとに１つのカテゴリグループが構成され、各オブジェクトキーワードと当該オブジェクトキーワードの属する前記カテゴリグループの識別情報とが対応付けられた、キーワードリストを取得するリスト取得手順と、
操作者により順次行われる前記操作手段での操作入力に応じ、当該操作入力に対応したテキスト情報を順次取得するテキスト情報取得手順と、
前記キーワードリストに含まれる複数の前記オブジェクトキーワードのうち、前記テキスト情報取得手順で順次取得されるテキスト情報に合致するオブジェクトキーワードを抽出するキーワード抽出手順と、
前記リスト取得手順で取得された前記キーワードリストを参照して、前記キーワード抽出手順で抽出された前記オブジェクトキーワードに対応付けられた前記カテゴリグループの識別情報を取得するグループ情報取得手順と
操作者により順次行われる前記操作入力に応じて、前記キーワード抽出手順で前記テキスト情報に合致するオブジェクトキーワードが抽出される都度、前記グループ情報取得手順において当該オブジェクトキーワードに対応付けて取得された前記カテゴリグループに対するカウント値を、所定量ずつ増大させるカウント値算出手順と、
所定のタイミングにおける、前記カウント値算出手順でのカウント値が最も多い前記カテゴリグループを決定するグループ決定手順と、
前記グループ決定手順で決定された前記カテゴリグループに対して予め対応付けられていた複数の前記テンプレートのうち少なくとも１つを、所定の順序で前記表示手段に表示するテンプレート表示手順と、
を実行させるための、テンプレート情報処理プログラム。
【請求項２】
請求項１記載のテンプレート情報処理プログラムにおいて、
前記グループ決定手順は、
前記所定のタイミングとして、１つの前記カテゴリグループに対して前記カウント値算出手順で算出された前記カウント値が予め定められたしきい値に達したときに、当該カテゴリグループを前記カウント値が最も多いカテゴリグループとして決定する
ことを特徴とするテンプレート情報処理プログラム。
【請求項３】
請求項１又は請求項２記載のテンプレート情報処理プログラムにおいて、
前記グループ決定手順は、
前記所定のタイミングとして、操作者が操作手段を介し適宜の操作を行ったときに、その時点で前記カウント値が最も多いカテゴリグループを決定する
ことを特徴とするテンプレート情報処理プログラム。
【請求項４】
請求項２又は請求項３記載のテンプレート情報処理プログラムにおいて、
前記演算手段に対して、さらに、
前記グループ決定手順で決定された前記カテゴリグループに対して予め対応付けられていた複数の前記テンプレートのうち、各テンプレートごとに複数個ずつ対応付けられるテンプレートキーワードが前記キーワード抽出手順で抽出されるオブジェクトキーワードと合致した数が多いテンプレートを、優先するように並べ替えるテンプレート並べ替え手順を実行させ、
前記テンプレート表示手段は、
前記所定の順序として、前記テンプレート並べ替え手順により並べ替えられた順序に沿って、前記表示手段での表示を行う
ことを特徴とするテンプレート情報処理プログラム。
【請求項５】
搬送される被印字媒体に対し所望の印字オブジェクトの形成を行って印字ラベルを作成する印字ラベル作成装置に接続されるとともに、操作者が操作可能な操作手段、及び、所定の表示を行う表示手段、を備えた操作端末が実行する、テンプレート情報処理方法であって、
複数の印字オブジェクト配置枠が所定の態様で割り付けられて構成された複数のテンプレートの検索用に予め設定された複数のオブジェクトキーワードのうち、互いに関連のある２以上のオブジェクトキーワードごとに１つのカテゴリグループが構成され、各オブジェクトキーワードと当該オブジェクトキーワードの属する前記カテゴリグループの識別情報とが対応付けられた、キーワードリストを取得するリスト取得手順と、
操作者により順次行われる前記操作手段での操作入力に応じ、当該操作入力に対応したテキスト情報を順次取得するテキスト情報取得手順と、
前記キーワードリストに含まれる複数の前記オブジェクトキーワードのうち、前記テキスト情報取得手順で順次取得されるテキスト情報に合致するオブジェクトキーワードを抽出するキーワード抽出手順と、
前記リスト取得手順で取得された前記キーワードリストを参照して、前記キーワード抽出手順で抽出された前記オブジェクトキーワードに対応付けられた前記カテゴリグループの識別情報を取得するグループ情報取得手順と
操作者により順次行われる前記操作入力に応じて、前記キーワード抽出手順で前記テキスト情報に合致するオブジェクトキーワードが抽出される都度、前記グループ情報取得手順において当該オブジェクトキーワードに対応付けて取得された前記カテゴリグループに対するカウント値を、所定量ずつ増大させるカウント値算出手順と、
所定のタイミングにおける、前記カウント値算出手順でのカウント値が最も多い前記カテゴリグループを決定するグループ決定手順と、
前記グループ決定手順で決定された前記カテゴリグループに対して予め対応付けられていた複数の前記テンプレートのうち少なくとも１つを、所定の順序で前記表示手段に表示するテンプレート表示手順と、
を有することを特徴とするテンプレート情報処理方法。
【発明の詳細な説明】
【技術分野】
【０００１】
本発明は、印字ラベル作成装置を操作可能な操作端末において実行される、テンプレート情報処理プログラム及びテンプレート情報処理方法に関する。
【背景技術】
【０００２】
例えばパソコン等の操作端末からの操作により、所望の印字ラベルを作成する印字ラベル作成システムが、既に知られている（特許文献１参照）。このシステムでは、操作者が操作端末（コンピュータ装置）を操作して作成したい印字ラベル（粘着材付ラベル）の印字内容を特定すると、対応する印字データが操作端末から印字ラベル作成装置（テープ印字装置）へと送信される。そして、印字ラベル作成装置に備えられた印字手段（サーマルヘッド）によって当該印字データに対応した印字が被印字媒体（ラミネートフィルム）に対し実行され、印字ラベルが作成される。
【０００３】
上記のように操作端末を印字ラベル作成装置に接続して印字ラベルを作成するとき、印字ラベルに印字するテキストや図像等の印字オブジェクトをすべてマニュアルで設定するのは、非常に煩雑である。そこで、この従来技術では、通常、複数の印字オブジェクト配置枠が所定の態様で割り付けられた、いわゆるテンプレートが複数種類用意されている。操作者は、自らが意図する印字態様に適したテンプレートを選択し、当該テンプレートにおける印字オブジェクト配置枠に対し、所望のテキスト等を割り当てることにより、容易に所望の印字ラベルを作成することができる。
【先行技術文献】
【特許文献】
【０００４】
【特許文献１】特開２００６−９９２６１号公報
【発明の概要】
【発明が解決しようとする課題】
【０００５】
近年、印字ラベルの多種多様な利用に応じて、上記用意されたテンプレートの数が膨大となりつつあり、全テンプレートの中から操作者が所望のテンプレートを見つけ出すのは必ずしも容易ではない。そこで、上記従来技術をさらに応用し、操作者が印字ラベルに形成したい印字オブジェクトを表すテキストを入力したとき、その入力したテキスト内容に含まれるオブジェクトキーワードを手がかりにして好適なテンプレートが自動的に検索され、操作者に推奨されるようにすることが考えられる。しかしながらこの場合も、入力されるテキスト内容に上記オブジェクトキーワードが複数含まれる場合等においては、互いに関連のない複数のテンプレートが多数推奨されるおそれがあり、操作者にとっての利便性が低い。
【０００６】
本発明の目的は、操作者が操作入力したテキスト内容に対し関連性の高いテンプレートを能率的に精選して提唱し、操作者にとっての利便性を向上できる、テンプレート情報処理プログラム及びテンプレート情報処理方法を提供することにある。
【課題を解決するための手段】
【０００７】
上記目的を達成するために、本願発明は、搬送される被印字媒体に対し所望の印字オブジェクトの形成を行って印字ラベルを作成する印字ラベル作成装置に接続されるとともに、操作者が操作可能な操作手段、所定の表示を行う表示手段、及び演算手段を備えた操作端末の前記演算手段に対し、複数の印字オブジェクト配置枠が所定の態様で割り付けられて構成された複数のテンプレートの検索用に予め設定された複数のオブジェクトキーワードのうち、互いに関連のある２以上のオブジェクトキーワードごとに１つのカテゴリグループが構成され、各オブジェクトキーワードと当該オブジェクトキーワードの属する前記カテゴリグループの識別情報とが対応付けられた、キーワードリストを取得するリスト取得手順と、操作者により順次行われる前記操作手段での操作入力に応じ、当該操作入力に対応したテキスト情報を順次取得するテキスト情報取得手順と、前記キーワードリストに含まれる複数の前記オブジェクトキーワードのうち、前記テキスト情報取得手順で順次取得されるテキスト情報に合致するオブジェクトキーワードを抽出するキーワード抽出手順と、前記リスト取得手順で取得された前記キーワードリストを参照して、前記キーワード抽出手順で抽出された前記オブジェクトキーワードに対応付けられた前記カテゴリグループの識別情報を取得するグループ情報取得手順と、操作者により順次行われる前記操作入力に応じて、前記キーワード抽出手順で前記テキスト情報に合致するオブジェクトキーワードが抽出される都度、前記グループ情報取得手順において当該オブジェクトキーワードに対応付けて取得された前記カテゴリグループに対するカウント値を、所定量ずつ増大させるカウント値算出手順と、所定のタイミングにおける、前記カウント値算出手順でのカウント値が最も多い前記カテゴリグループを決定するグループ決定手順と、前記グループ決定手順で決定された前記カテゴリグループに対して予め対応付けられていた複数の前記テンプレートのうち少なくとも１つを、所定の順序で前記表示手段に表示するテンプレート表示手順と、を実行させる。
【０００８】
操作端末を印字ラベル作成装置に接続して印字ラベルを作成するとき、印字ラベルに印字するテキストや図像等の印字オブジェクトをすべてマニュアルで設定するのは、非常に煩雑である。そこで、通常、複数の印字オブジェクト配置枠が所定の態様で割り付けられた、いわゆるテンプレートが複数種類用意されている。操作者は、自らが意図する印字態様に適したテンプレートを選択し、当該テンプレートにおける印字オブジェクト配置枠に対し、所望のテキスト等を割り当てることにより、容易に所望の印字ラベルを作成することができる。
【０００９】
本願発明では、互いに関連のある（すなわちカテゴリが同一又は類似する）２以上のオブジェクトキーワードをグループ化してカテゴリグループが構成される。そして、各カテゴリグループの識別情報（名称等）と、当該カテゴリグループに属する各オブジェクトキーワードとが対応付けられた、キーワードリストが予め生成されている。
【００１０】
本願発明のテンプレート情報処理プログラムが操作端末の演算手段で実行されると、まず、リスト取得手順で、上記キーワードリストが取得される。そして、前述のようにして操作者が操作手段を介してテキストを順次入力すると、これに対応したテキスト情報がテキスト情報取得手順で順次取得される。その際、上記取得されたキーワードリストに含まれる全オブジェクトキーワードのうち、上記順次取得されるテキスト情報と合致するものがあった場合には、キーワード抽出手順で、当該オブジェクトキーワードが抽出される。その後、グループ情報取得手順で、上記抽出されたオブジェクトキーワードに対応付けられるカテゴリグループの識別情報が、上記キーワードリストを参照して取得される。
【００１１】
ここで、本願発明では、前述のカテゴリグループごとにカウント値がカウントされるようになっている。すなわち、前述のようにしてテキスト情報と合致するオブジェクトキーワードが抽出されるたびに、当該オブジェクトキーワードに対応したカテゴリグループに対する上記カウント値が所定量ずつ増大（カウントアップ）される。そして、所定のタイミングにおいて、上記カウント値が最も多いカテゴリグループがグループ決定手順において決定され、その決定されたカテゴリに対応付けられたテンプレートが、テンプレート表示手順で表示される。
【００１２】
以上のようにして、本願発明では、オブジェクトキーワードをカテゴリグループに分けてグループ化しておき、そのうちオブジェクトキーワードがテキスト情報と合致した度合いの高いカテゴリグループを決定し、そのカテゴリグループに対応したテンプレートを表示する。これにより、操作者が操作入力したテキスト内容に対し関連性の高いテンプレートを能率的に精選し、操作者に対し提唱することができる。この結果、操作者にとっての利便性を向上することができる。
【発明の効果】
【００１３】
本発明によれば、操作者が操作入力したテキスト内容に対し関連性の高いテンプレートを能率的に精選して提唱し、操作者にとっての利便性を向上することができる。
【図面の簡単な説明】
【００１４】
【図１】本発明の一実施形態のテンプレート情報処理方法を実行するテンプレート情報処理システムの概略を表すシステム構成図である。
【図２】テンプレート情報処理システムの各部詳細機能を表す機能ブロック図である。
【図３】ラベルのテキスト入力された文字のキーワード単純検索によりテンプレートが提示される比較例の手法を表す説明図である。
【図４】本発明の一実施形態によるテンプレート提示手法を説明する説明図である。
【図５】キーワードとカテゴリグループの識別情報とが対応付けられたキーワードリストの一例を表す表である。
【図６】操作端末のＣＰＵによって実行される制御手順を表すフローチャートである。
【図７】操作端末の表示部での表示画面例を表す説明図である。
【図８】操作端末の表示部での表示画面例を表す説明図である。
【図９】操作端末の表示部での表示画面例を表す説明図である。
【図１０】操作端末の表示部での表示画面例を表す説明図である。
【図１１】多言語のキーワードリストの一例を表す表である。
【発明を実施するための形態】
【００１５】
以下、本発明の一実施の形態を図面を参照しつつ説明する。
【００１６】
＜システム概略構成＞
本実施形態のテンプレート情報処理方法を実行するテンプレート情報処理システム全体の構成を図１及び図２により説明する。図１において、テンプレート情報処理システム１は、コンテンツサーバＳＶと、例えば汎用パーソナルコンピュータで構成される操作端末２と、例えばＵＳＢ等のインターフェースを介して操作端末２に接続されたラベルプリンタ３（印字ラベル作成装置）と、を有している。そして、コンテンツサーバＳＶ及び操作端末２は、上記ネットワークＮＷを介して互いに接続されている。
【００１７】
ラベルプリンタ３は、操作端末２との間で各種の情報や指示信号を送受し、操作端末２での操作者の操作に基づき、所望の文字や図形などの印字を備えた印字ラベルＬを作成する。本実施形態では、ラベルプリンタ３での印字ラベルＬの作成に用いられる、コンテンツの一種であるテンプレートＴ（詳細は後述）が、コンテンツサーバＳＶから操作端末２へと提供される場合を例にとって説明する。
【００１８】
操作端末２は、図２に示すように、ＣＰＵ１２（演算手段）と、例えばＲＡＭやＲＯＭ等からなるメモリ１３と、操作者からの指示や情報が入力される操作部１４（操作手段）と、各種情報やメッセージを表示する表示部１７（表示手段）と、コンテンツサーバＳＶやラベルプリンタ３との情報信号の授受の制御を行う通信制御部１５と、を備えている。
【００１９】
メモリ１３の上記ＲＯＭは、後述の図６のフローに示す各手順を実行するためのテンプレート情報処理プログラムを記憶している。また、メモリ１３には、コンテンツサーバＳＶから取得（受信）したテンプレートＴ（後述の図３、図４等を参照）、及び、当該テンプレートＴの検索用に予め設定された複数のオブジェクトキーワードのリスト（以下、キーワードリストと称す）を記憶するための、テンプレート格納部１３ａを備えている（詳細は後述）。
【００２０】
コンテンツサーバＳＶは、図２に示すように、ＣＰＵ１２０と、例えばＲＡＭやＲＯＭ等からなるメモリ１３０と、ネットワークＮＷを介して操作端末２との情報信号の授受の制御を行う通信制御部１５０と、大容量記憶装置１６０と、を備えている。大容量記憶装置１６０は例えばハードディスク装置から構成されており、例えば、印字ラベルＬの作成に係わる操作端末２用の複数のテンプレートＴ及び上記キーワードリスト等の各種情報を格納している。
【００２１】
ＣＰＵ１２０及びＣＰＵ１２は、ＲＡＭの一時記憶機能を利用しつつＲＯＭに予め記憶されたプログラムに従って信号処理を行う。操作端末２のＣＰＵ１２は、上記信号処理により、ラベルプリンタ３との間で、各種の指示信号・情報信号の送受を行う。コンテンツサーバＳＶのＣＰＵ１２０は、上記信号処理により、操作端末２との間で、ネットワークＮＷを通じて各種の指示信号・情報信号の送受を行う。
【００２２】
ラベルプリンタ３は、図２に示すように、被印字媒体としてのテープ（＝被印字テープ。本来は渦巻き状であるが簡略化して同心円で図示している）２０３を巻回したテープロール２０４を着脱可能な（又はテープロール２０４を備えたカートリッジを着脱可能な）テープロールホルダ部２１０と、このテープロール２０４から繰り出されたテープ２０３に所望の印字オブジェクト（テキストや図像等）の形成を行う印字ヘッド２０５と、印字が終了したテープ２０３を所定の長さに切断して印字ラベルＬとするカッタ２０７と、印字ヘッド２０５に対向して設けられ、制御回路２０２により制御されてテープロール２０４からのテープ２０３を搬送する搬送装置２０９と、上記操作端末２の操作部１４と同様、操作者からの指示や情報が入力される操作部２０６と、を有する。また制御回路２０２は、通信制御部２０８を介し操作端末２の上記通信制御部１５に接続され、さらにネットワークＮＷを介してコンテンツサーバＳＶの通信制御部１５０と接続されている。
【００２３】
＜テンプレート＞
上記のように操作端末２が印字ラベル作成装置３に接続されて印字ラベルが作成されるとき、印字ラベルＬに印字するテキストや図像等の上記印字オブジェクトをすべて操作者がマニュアルで設定するのは、非常に煩雑である。本実施形態では、複数の印字オブジェクト配置枠が所定の態様で割り付けられた、いわゆるテンプレートＴ（後述の図３、図４等を参照）が複数種類用意され、コンテンツサーバＳＶの大容量記憶装置１６０に記憶されている。
【００２４】
各テンプレートＴは、例えば操作端末２の操作部１４における適宜の操作者の操作（詳細は後述）により、大容量記憶装置１６から読み出されてダウンロードされ、ネットワークＮＷを介し、操作端末２のメモリ１３における上記テンプレート格納部１３ａへインストールされる。操作者は、自らが意図する印字態様に適したテンプレートを選択し、当該テンプレートにおける印字オブジェクト配置枠に対し、所望のテキスト等を割り当てることにより、容易に所望の印字ラベルを作成することができる。なお、上記キーワードリストについても、上記テンプレートＴと同様、大容量記憶装置１６から読み出されて上記テンプレート格納部１３ａへインストールされる。
【００２５】
＜本実施形態の特徴＞
上記テンプレートＴのインストール時には、コンテンツサーバＳＶは、操作端末２の操作部１４での操作者の適宜の操作に対応して、テンプレートＴを一覧可能に表示する。本実施形態の特徴は、このようなテンプレートＴの一覧表示を行う場合に、操作者が印字ラベルＬの作成のために操作入力したテキスト内容に対し、関連性の高いテンプレートＴを能率的に精選して表示する手法にある。以下、その内容を順を追って説明する。
【００２６】
＜比較例＞
まず、本実施形態に対する比較例を説明する。近年、印字ラベルＬの多種多様な利用に応じて、上記用意されたテンプレートＴの数が膨大となりつつある。このため、操作端末２でテンプレートを一覧表示する場合、全テンプレートＴの中から操作者が所望のテンプレートＴを見つけ出すのは必ずしも容易ではない。そこで、操作者が印字ラベルＬに形成したい印字オブジェクトを表すテキストを入力したとき、その入力したテキスト内容に含まれるオブジェクトキーワード（入力したテキスト内容に含まれるキーワード）を手がかりにして好適なテンプレートＴを自動的に検索し、操作者に推奨する手法が考えられる。このような手法を実行する場合を、本実施形態の比較例として図３に示す。
【００２７】
例えば、図３に示すように、操作者が名刺用の印字ラベルＬの作成を意図して、上記操作部１４を操作して、「上野一郎  ××食品販売株式会社総務部  〒４６７−０８２６  愛知県名古屋市瑞穂区白龍町１−３７  ＴＥＬ：０８０−１２３４−４３２１」とテキスト入力した場合を考える。
【００２８】
この場合、例えば、まず、上記テキスト入力内容に含まれる「一郎」というテキスト文字をキーワードとして、複数の名札用テンプレートＴ（この例では「営業課第２グループ」「○田×彦」「１２−５６７８００」等の表示を一例とする３つの配置枠を含む名札用テンプレートＡ、名札用テンプレートＢ、・・等）がヒットする。
【００２９】
また、上記テキスト入力内容にその後含まれる「食品」というテキスト文字をキーワードとして、キッチン用テンプレートＴ（この例では「冷凍ハンバーグ」「○月○日購入」等の表示を一例とする２つの配置枠を含むキッチン用テンプレートＡ、キッチン用テンプレートＢ、・・等）がヒットする。
【００３０】
さらに、上記テキスト入力内容にその後含まれる「販売」というテキスト文字をキーワードとして、ショップ用テンプレートＴ（この例では「ＦＯＲ  ＳＡＬＥ」「￥９８０」等の表示を一例とする２つの配置枠を含むショップ用テンプレートＡ、ショップ用テンプレートＢ、・・等）がヒットする。
【００３１】
また、上記テキスト入力内容にその後含まれる「株式」というテキスト文字をキーワードとして、トレーディング用テンプレートＴ（この例では「○○株式会社」「東証一部」「３月決算」「連結事業：××，▲▲」等の表示を一例とする４つの配置枠を含むトレーディング用テンプレートＡ、トレーディング用テンプレートＢ、・・等）がヒットする。
【００３２】
さらに、上記テキスト入力内容にその後含まれる「会社」というテキスト文字をキーワードとして、名刺用テンプレートＴ（この例では「××会社」「○山×夫」等の表示を一例とする２つの配置枠を含む名刺用テンプレートＡ、名刺用テンプレートＢ、・・等）がヒットする。
【００３３】
また、上記テキスト入力内容にその後含まれる「部」というテキスト文字をキーワードとしても、上記した名札用テンプレートＴがヒットする。
【００３４】
以上のように、テキスト文字から単純にキーワードを検索するこの比較例の手法では、例えば入力されるテキスト内容に上記オブジェクトキーワードが数多く含まれる場合等には、関連のない多数の種類のテンプレートＴがヒットしてしまう。この結果、テンプレートの一覧表示自体が非常に煩雑となり、操作者は、自らがインストールしたい特定のテンプレートＴをなかなか見つけることができず、非常に不便である。
【００３５】
＜実施形態の手法の概要＞
そこで、本実施形態では、このようなテンプレートＴの表示を行う場合に、図４に示すように、テンプレートＴの検索用に予め設定された複数の上記オブジェクトキーワードを、複数のカテゴリグループに分けてグループ化しておく。そして、そのうちオブジェクトキーワードがテキスト情報と合致した度合いの高いカテゴリグループを決定し、そのカテゴリグループに対応したテンプレートＴを表示する。これにより、操作者が操作入力したテキスト内容に対し関連性の高いテンプレートＴを能率的に精選し、操作者に対し提唱することができる。以下、そのような本実施形態の手法の詳細を、上記図４及び図５〜図１０を用いて説明する。
【００３６】
＜実施形態の具体的手法＞
以下、上記図３と同様、操作者が「上野一郎  ××食品販売株式会社総務部  〒４６７−０８２６  愛知県名古屋市瑞穂区白龍町１−３７  ＴＥＬ：０８０−１２３４−４３２１」とテキスト入力した場合を例にとって説明する。
【００３７】
前述したように、本実施形態では、テンプレートＴの検索用に予め設定された複数の上記オブジェクトキーワードが、複数のカテゴリ（分類）グループに分けてグループ化されている。図５に、このグループ化を表すキーワードリストを示す。図５において、このキーワードリストでは、各カテゴリグループの名称等の識別情報と、当該カテゴリグループに属する各オブジェクトキーワードと、が対応付けられている。
【００３８】
図示の例では、カテゴリグループ「ＢｕｓｉｎｅｓｓＣａｒｄ」には、「会社」「電話」「Ｔｅｌ」「県」「市」「区」「郵便番号」「〒」等を含む複数のキーワードが対応付けられている。また、カテゴリグループ「Ｔｒａｄｉｎｇ」には、「株式」等を含む複数のキーワードが対応付けられている。また、カテゴリグループ「Ｎａｍｅｐｌａｔｅ」には、「一郎」「部」等を含む複数のキーワードが対応付けられている。さらに、カテゴリグループ「Ｎｏｔｉｆｉｃａｔｉｏｎ」には、「禁煙」等を含む複数のキーワードが対応付けられている。また、カテゴリグループ「Ｋｉｔｃｈｅｎ」には、「食品」等を含む複数のキーワードが対応付けられている。さらに、カテゴリグループ「Ｓｈｏｐ」には、「販売」等を含む複数のキーワードが対応付けられている。
【００３９】
このキーワードリストは、コンテンツサーバＳＶの上記大容量記憶装置１６０に記憶されており、上記したように操作端末２の操作部１４における適宜の操作者の適宜の操作により（あるいは所定周期で自動的に実行してもよい）大容量記憶装置１６から読み出されてダウンロードされ、操作端末２のメモリ１３における上記テンプレート格納部１３ａへインストールされる（既に古いリストがあった場合は新しいキーワードリストに更新される）。
【００４０】
図４に戻り、前述のように「上野一郎  ××食品販売株式会社総務部  〒４６７−０８２６  愛知県名古屋市瑞穂区白龍町１−３７  ＴＥＬ：０８０−１２３４−４３２１」とテキスト入力された場合、上記のキーワードリストが参照される。この結果、上記テキスト入力内容に含まれる文字のうち、キーワード「一郎」「部」が抽出されて対応するカテゴリグループ「Ｎａｍｅ  ｐｌａｔｅ」が特定され、キーワード「食品」が抽出されて対応するカテゴリグループ「Ｋｉｔｃｈｅｎ」が特定され、キーワード「販売」が抽出されて対応するカテゴリグループ「Ｓｈｏｐ」が特定され、キーワード「株式」が抽出されて対応するカテゴリグループ「Ｔｒａｄｉｎｇ」が特定され、キーワード「会社」「〒」「県」「市」「区」「ＴＥＬ」が抽出されて対応するカテゴリグループ「Ｂｕｓｉｎｅｓｓ  ｃａｒｄ」が特定される。
【００４１】
そして、上記のカテゴリグループの特定に基づき、各カテゴリグループごとにカウント値がカウントされるようになっている。すなわち、前述のようにしてテキスト情報と合致するオブジェクトキーワードが抽出されるたびに、当該オブジェクトキーワードに対応したカテゴリグループ（図示の例では「Ｎａｍｅ  ｐｌａｔｅ」「Ｋｉｔｃｈｅｎ」「Ｓｈｏｐ」「Ｔｒａｄｉｎｇ」「Ｂｕｓｉｎｅｓｓ  ｃａｒｄ」）に対する上記カウント値が所定量ずつ（この例では１ずつ）カウントアップされる。
【００４２】
この例では、上述したように「一郎」「部」の２つが抽出されたカテゴリグループ「Ｎａｍｅ  ｐｌａｔｅ」のカウント数が２、「食品」が抽出されたカテゴリグループ「Ｋｉｔｃｈｅｎ」のカウント数が１、「販売」が抽出されたカテゴリグループ「Ｓｈｏｐ」のカウント数が１、「株式」が抽出されたカテゴリグループ「Ｔｒａｄｉｎｇ」のカウント数が１、「会社」「〒」「県」「市」「区」「ＴＥＬ」の６つが抽出されたカテゴリグループ「Ｂｕｓｉｎｅｓｓ  ｃａｒｄ」のカウント数が６となる。
【００４３】
これにより、上記カウント数が最大のカテゴリグループ（この例ではカウント数が６のカテゴリグループ「Ｂｕｓｉｎｅｓｓ  ｃａｒｄ」）が決定され、その決定されたカテゴリグループの中で、合致した上記キーワード数が多い順にテンプレートＴが表示される。図示の例では、上記決定されたカテゴリグループ「Ｂｕｓｉｎｅｓｓ  ｃａｒｄ」には、テンプレートＴａ（この例では「矢野  和史」「〒１２３−４５６７  東京都中央区京橋８−３−８」「Ｔｅｌ：０３（１２３４）５６７８」の表示を一例とする３つの配置枠を含む）、テンプレートＴｂ（この例では「本田真奈美」「営業企画部  商品企画Ｇ」「株式会社ＬＢＩコーポレーション」の表示を一例とする３つの配置枠を含む）、等を含む複数のテンプレートＴが用意されている。そして、それら複数のテンプレートＴのうち、上記テキスト入力内容から抽出された１１個のキーワード「一郎」「部」「食品」「販売」「株式」「会社」「〒」「県」「市」「区」「ＴＥＬ」のうち、各テンプレートＴａ，Ｔｂ，・・ごとに合致するキーワード（テンプレートキーワード）が多い順に、優先的に（例えば上位に表示されるように）操作端末２の表示部１７に表示される。
【００４４】
この例では、上記１１個のキーワードのうち「〒」「区」「ＴＥＬ」の３つのテンプレートキーワードが合致する上記テンプレートＴａが最上段に表示され、「部」「会社」の２つのテンプレートキーワードが合致するテンプレートＴｂがその次の段に表示される。
【００４５】
＜制御手順＞
以上の機能を実行するために操作端末２のＣＰＵ１２によって実行される制御手順を図６に示す。
【００４６】
図６において、以下の各手順を実行するためのテンプレート情報処理プログラムが操作端末２のメモリ１３の（上記ＲＯＭ等）に予めインストールされた状態で、当該プログラムによるソフトウェア（図６等では「エディタ」と略示している）が起動することにより、このフローが開始される。
【００４７】
まず、ステップＳ１０において、ＣＰＵ１２は、上記キーワードリストが上記メモリ１３のテンプレート格納部１３ａにインストール済みかどうかを判定する。まだインストールされていなければ、ステップＳ１０の判定が満たされず（Ｓ１０：ＮＯ）、ステップＳ２０へ移行する。インストールされていれば、ステップＳ１０の判定が満たされて（Ｓ１０：ＹＥＳ）、ステップＳ１５へ移行する。
【００４８】
ステップＳ１５では、ＣＰＵ１２は、テンプレート格納部１３ａへインストールされているキーワードリストを上記大容量記憶装置１６０からのダウンロードによって更新する。その後、後述のステップＳ３０へ移行する。
【００４９】
一方、ステップＳ２０では、ＣＰＵ１２は、操作者による操作部１４を介しての適宜の操作に基づき、上記キーワードリストをコンテンツサーバＳＶの大容量記憶装置１６０からネットワークＮＷを介してダウンロードし、操作端末２のメモリ１３におけるテンプレート格納部１３ａへインストールする。その後、ステップＳ３０へ移行する。なお、このステップＳ２０及び上記ステップＳ１５が、各請求項記載のリスト取得手順に相当する。
【００５０】
ステップＳ３０では、ＣＰＵ１２は、操作者が印字ラベルＬへの印字を意図する、ラベル編集用のテキスト入力を行うためのラベル編集画面を表示部１７に表示させる。図７に、このラベル編集画面１７Ａの一例を示す。図７に示すように、このラベル編集画面１７Ａの上部には、上記テキスト入力時の各種設定のために、機種名表示欄１７ｆ、ラベル印刷指示のための印刷ボタン１７ｇ、等が設けられている。操作者は、この画面１７Ａを用いて、操作部１４を介したマニュアル操作により、印字ラベルＬに形成したいテキスト文字を順次入力することができる。
【００５１】
図６に戻り、その後、ステップＳ４０で、ＣＰＵ１２は、操作者による、操作部１４を介した（印字ラベルＬに印字したい）文字や記号等のテキスト入力を受け付ける。
【００５２】
そして、ステップＳ５０で、ＣＰＵ１２は、操作者により順次行われる操作部１４での操作入力によって、テキスト追加またはテキスト変更が実行されたかどうかを判定する。テキストの追加又は変更がされていなければ、ステップＳ５０の判定が満たされず（Ｓ５０：ＮＯ）、ステップＳ４０へ戻って同様の手順を繰り返す。テキストの追加又は変更がされていれば、ステップＳ５０の判定が満たされて（Ｓ５０：ＹＥＳ）、ステップＳ６０へ移行する。なお、このステップＳ５０及び上記ステップＳ４０が各請求項記載のテキスト情報取得手順に相当する。
【００５３】
その後、ステップＳ６０で、ＣＰＵ１２は、上記ステップＳ２０及び上記ステップＳ１５で取得されたキーワードリストを参照し、当該キーワードリストに含まれる複数のオブジェクトキーワードのうち、上記ステップＳ４０及びステップＳ５０で順次取得されるテキスト情報に合致するオブジェクトキーワードを抽出する。このステップＳ６０が各請求項記載のキーワード抽出手順に相当する。
【００５４】
なお、上記ステップＳ５０において、編集操作に基づき生成されたテンプレートＴのファイルを保存するための「名前を付けてファイルを保存」の操作が操作者によりなされたか否かを判定してもよい。その場合、その後の上記ステップＳ６０では、上記テキスト入力内容とともに上記ファイル名の中からキーワードを検索しても良い。
【００５５】
そして、ステップＳ７０で、ＣＰＵ１２は、上記キーワードリストを参照し、上記ステップＳ６０で抽出されたオブジェクトキーワードに対応付けられるカテゴリグループの識別情報（グループ名称等）を取得する。このステップＳ７０が各請求項記載のグループ情報取得手順に相当する。
【００５６】
その後、ステップＳ８０で、ＣＰＵ１２は、上記ステップＳ７０においてオブジェクトキーワードに対応付けて取得されたカテゴリグループに対するカウント値を、所定量（前述の例では１）ずつ増大させる。すなわち、検出したキーワードに基づきキーワードリストの各カテゴリグループ別に投票する。この結果、後述のようにしてステップＳ４０に戻りステップＳ５０→ステップＳ６０→ステップＳ７０→ステップＳ８０が繰り返されることで、操作者により順次入力されるテキスト情報に合致するオブジェクトキーワードが抽出されるたびに、対応するカテゴリグループに対するカウントアップが行われることとなる。このステップＳ８０が各請求項記載のカウント値算出手順に相当する。
【００５７】
そして、ステップＳ９０では、ＣＰＵ１２は、１つのカテゴリグループに対して、当該ＣＰＵ１２により算出されたカテゴリグループに対するカウント値が予め定められたしきい値（例えば前述の例に沿うとカウント値＝６）に達したかどうかを判定する。上記しきい値に達していなければ、ステップＳ９０の判定が満たされず（Ｓ９０：ＮＯ）、ステップＳ１００へ移行する。上記しきい値に達していれば、ステップＳ９０の判定が満たされて（Ｓ９０：ＹＥＳ）、後述のステップＳ１１０へ移行する。なお、このステップＳ９０における判定が満たされたとき（しきい値に達したとき）が、各請求項記載の「所定のタイミング」の一例に相当する。
【００５８】
ステップＳ１００では、ＣＰＵ１２は、上記のような繰り返しにより各カテゴリグループに対するカウント値が自動積算された状態で、不図示の操作ボタン（例えば、表示部１７の適宜の画面に表示した「テンプレート提案」ボタン等）を介し、テンプレート提案のための適宜の操作が行われたかどうかを判定する。当該「テンプレート提案」ボタン等の操作が行われていなければ、ステップＳ１００の判定が満たされず（Ｓ１００：ＮＯ）、ステップＳ４０へ戻り同様の手順を繰り返す。上記「テンプレート提案」ボタン等の操作を行っていれば、ステップＳ１００の判定が満たされて（Ｓ１００：ＹＥＳ）、ステップＳ１１０へ移行する。なお、このステップＳ１００における判定が満たされたとき（上記「テンプレート提案」ボタン等の操作が行われたとき）が、各請求項記載の「所定のタイミング」の他の例に相当する。
【００５９】
ステップＳ１１０では、ＣＰＵ１２は、この時点におけるカウント値が最も多いカテゴリグループを、操作者によるテキスト内容に最も関連性の高いものとして決定する。このステップＳ１１０が各請求項記載のグループ決定手順に相当する。
【００６０】
その後、ステップＳ１２０で、ＣＰＵ１２は、上記ステップＳ１１０で決定されたカテゴリグループに含まれている複数のテンプレートＴ（前述の例ではテンプレートＴａ，Ｔｂ・・等）のうち、各テンプレートＴごとに複数個ずつ対応付けられる上記テンプレートキーワードが、上記ステップＳ６０で抽出されるオブジェクトキーワードと合致した数が多いテンプレートＴを、優先するように並べ替える。前述の例では、「〒」「区」「ＴＥＬ」の３つのテンプレートキーワードを含む上記テンプレートＴａが最も優先され、その次に、「部」「会社」の２つのテンプレートキーワードを含む上記テンプレートＴｂが優先されるように、並べ替えが行われる。このステップＳ１２０が各請求項記載のテンプレート並べ替え手順に相当する。
【００６１】
そして、ステップＳ１３０では、ＣＰＵ１２は、上記ステップＳ１１０で決定されたカテゴリグループに含まれている複数のテンプレートＴ（前述の例ではテンプレートＴａ，Ｔｂ・・等）のうち少なくとも１つのテンプレートＴを、上記ステップＳ１２０で並べ変えた順序に沿って操作端末２の表示部１７に提案表示させる。このステップＳ１３０が各請求項記載のテンプレート表示手順に相当する。このときのテンプレートＴの表示の一例を図８に示す。
【００６２】
図８に示す例では、上記ラベル編集画面１７Ａに対し、上記提案表示するテンプレートＴａ及びテンプレートＴｂがこの順序で上下に配列され、割り込みウィンドウ１７Ｂとして表示されている。なお、この例では、割り込みウィンドウ１７Ｂには「以下のテンプレートを使ってみませんか？」というメッセージが表示され、さらに当該ウィンドウ１７Ｂの下方には「適用する」ボタン１７ｃと「適用しない」ボタン１７ｄとが表示されている。
【００６３】
図６に戻り、その後、ステップＳ１４０で、ＣＰＵ１２は、上記ステップＳ１３０において入力操作画面１７Ａの割り込みウィンドウ１７Ｂに表示したテンプレートＴが操作者により採用されたかどうかを判定する。すなわち、ＣＰＵ１２は、操作部１４を介し，操作者により上記「適用する」ボタン１７ｃが押されたか否かを判定する。「適用する」ボタン１７ｃを押さずに、「適用しない」ボタン１７ｄが押された場合にはステップＳ１４０の判定が満たされず（Ｓ１４０：ＮＯ）、ステップＳ４０に戻って同様の手順を繰り返す。「適用する」ボタン１７ｃを押した場合にはステップＳ１４０の判定が満たされて（Ｓ１４０：ＹＥＳ）、ステップＳ１５０に移行する。
【００６４】
ステップＳ１５０では、ＣＰＵ１２は、ステップＳ１４０で決定されたテンプレートＴ（上記の例では例えばテンプレートＴａ）を、コンテンツサーバＳＶの大容量記憶装置１６０からダウンロードし、テンプレート格納部１３ａにインストールする。そして、この時点までにステップＳ４０及びステップＳ５０で受け付けたテキスト入力内容（前述の例では「上野一郎  ××食品販売株式会社総務部  〒４６７−０８２６  愛知県名古屋市瑞穂区白龍町１−３７  ＴＥＬ：０８０−１２３４−４３２１」）を、上記ダウンロードしたテンプレートＴ（上記の例ではテンプレートＴａ）の配置枠に当てはめて合成する。
【００６５】
図９は、上記テンプレートＴａに対し合成された例を示しており、前述の「矢野  和史」「〒１２３−４５６７  東京都中央区京橋８−３−８」「Ｔｅｌ：０３（１２３４）５６７８」が例示された３つの配置枠に対し、対応する上記テキスト入力内容が合成された結果、「上野一郎」「〒４６７−０８２６  愛知県名古屋市瑞穂区白龍町１−３７」「ＴＥＬ：０８０−１２３４−４３２１」がそれぞれ配置された、新たなテンプレートＴ１が生成され、ラベル編集画面１７Ａ内に表示されている。
【００６６】
図６に戻り、その後、ステップＳ１６０で、ＣＰＵ１２は、上記ステップＳ１５０における印字ラベルＬの編集が終了したかどうかを判定する。操作部１４における適宜の操作によりラベル編集の終了の旨が入力された場合にはステップＳ１６０の判定が満たされて（Ｓ１６０：ＹＥＳ）、本フローは終了する。
【００６７】
ラベル編集が継続されている場合にはステップＳ１６０の判定が満たされず（Ｓ１６０：ＮＯ）、ステップＳ４０に戻って同じ手順を繰り返す。これにより操作者は引き続きテキスト文字の入力を行うことができる。例えば、上記図９に示したはめ込み合成後のテンプレートＴ１に対し、追加入力を行うこともできる。図１０の例では、上記図９で表示されたテンプレートＴ１の上側に「××食品販売株式会社  総務部」というテキストが追加された態様の、新たなテンプレートＴ１′が表示されている。なお、この際、上記「××食品販売株式会社  総務部」のテキスト文字は、上記図７に示したように既に操作者によりマニュアル操作で入力済みであった（そして上記テンプレートＴａへのはめ込み時に漏れた）ことから、上記合成後のテンプレートＴ１に対し、適宜の簡便な操作で組み込めるようにしてもよい。あるいは、予め定められた所定の規則性に沿って自動的に組み込み合成するようにしてもよい。
【００６８】
以上説明したように、本実施形態においては、オブジェクトキーワードをカテゴリグループに分けてグループ化しておき、そのうちオブジェクトキーワードがテキスト情報と合致した度合いの高いカテゴリグループを決定し、そのカテゴリグループに対応したテンプレートＴを優先的に表示する。これにより、操作者が操作入力したテキスト内容に対し関連性の高いテンプレートＴを能率的に精選し、操作者に対し提唱することができる。この結果、操作者にとっての利便性を向上することができる。
【００６９】
また、本実施形態においては特に、上記所定のタイミングの一例として、図６のフローのステップＳ９０で、１つのカテゴリグループに対して算出されたカウント値が予め定められたしきい値に達したときに、当該カテゴリグループをカウント値が最も多いカテゴリグループとして決定している。これにより、１つのカテゴリグループに対するカウント値がある特定の値に達したときに、特別な操作を必要とすることなく、当該カテゴリグループが操作者によるテキスト内容に関連性が高いと自動的にみなされる。この結果、対応するテンプレートＴを迅速に操作者に対し提唱することができる。
【００７０】
また、本実施形態においては特に、上記所定のタイミングの他の例として、操作者が「テンプレート提案」ボタン等の適宜の操作を行ったときに、その時点でカウント値が最も多いカテゴリグループを決定する。すなわち、操作者の所望のタイミングにおいてその時点でカウント値が最も大きいカテゴリグループが、操作者によるテキスト内容に関連性が高いとみなされる。これにより、操作者の随意のタイミングで、操作者によるテキスト内容に関連性が高いテンプレートＴを決定し、操作者に対し確実に提唱することができる。
【００７１】
また、本実施形態においては特に、オブジェクトキーワードがテキスト情報と合致した度合いの高いカテゴリグループに複数のテンプレートＴが含まれているとき、ステップＳ１１０及びステップＳ１２０においてそれらの中でも操作者の操作入力したテキスト内容に対してより関連性が高いと思われるテンプレートＴを優先するように並べ替え、ステップＳ１３０で表示することができる。この結果、さらに操作者にとっての利便性を向上することができる。
【００７２】
なお、本発明は、上記実施形態に限られるものではなく、その趣旨及び技術的思想を逸脱しない範囲内で種々の変形が可能である。以下にその変形例について説明する。
【００７３】
（１）複数言語キーワードリスト
上記実施形態では、図５に示すように、各カテゴリグループの名称等の識別情報に対し、当該カテゴリグループに属する日本語のオブジェクトキーワードを対応付けた。しかしながら、これに限られず、複数言語（多言語）のキーワードを対応付けるようにしてもよい。図１１にそのようなキーワードリスト（多言語キーワードリスト）の例を示す。
【００７４】
2013205984.tif 000003
【００７５】
本変形例においては、上記実施形態と同様の効果に加え、以下の効果がある。すなわち、例えば個人の名刺等では、表に日本語、裏に英語や中国語等の外国語で作成される場合があり、上記多言語キーワードリストが用いられる場合、日本語表記での上記カウントアップに、さらに外国語表記でのカウントアップが加わることとなる。したがって、操作者が操作入力したテキスト内容に対し、さらに精度よく関連性の高いテンプレートＴを能率的に精選することができる。
【００７６】
（２）テキストの属性ＩＤによる２次検索
本変形例では、以上用いたような、操作者が入力したテキスト文字と、各テンプレートＴに含まれるテキスト文字自体との合致性による検索のみならず、各テンプレートＴ内の各配置枠に予め付されている「属性ＩＤ」をも用いて、上記検索が行われる。
【００７７】
具体例を挙げて説明すると、例えば、前述の例では「一郎」というテキスト文字は図５のキーワードリストに存在する（図５参照）が、「二郎」や「三郎」等はキーワードリストに存在していない。この場合、操作者によるテキスト入力内容に基づく上記のキーワード検索を実行した場合には、入力内容が「二郎」や「三郎」等であると、上記キーワードリストに合致するキーワードとして抽出されず、上記カテゴリグループ「Ｎａｍｅｐｌａｔｅ」のカウントアップが行われない。
【００７８】
そこで、本変形例では、「一郎」などのテキスト文字に対し「名前」という属性ＩＤを付与した形で取り扱う。「二郎」「三郎」等についても同様である。このような各テキスト文字と属性ＩＤとの対応付けは、予め、例えばメモリ１３の属性ＩＤ格納部１３ｂ（図２中の二点鎖線参照）に保存されている。ＣＰＵ１２は、この対応付けを用いることで、操作者による「二郎」の入力は属性ＩＤ「名前」に係わる入力であり、対応するカテゴリグループが「Ｎａｍｅｐｌａｔｅ」であると識別することができる。また、その際、上記テンプレートＴａの「矢野和史」表記の配置枠やテンプレートＴｂの「本田真奈美」表記の配置枠に対しても、上記同様、「名前」の属性ＩＤが付され、その対応付けは上記属性ＩＤ格納部１３ｂ（図２中の二点鎖線参照）に保存されている。
【００７９】
上記の対応付けにより、前述の図４に示した例において、「一郎」に代えて「二郎」を用い、「上野二郎  ××食品販売株式会社総務部  〒４６７−０８２６  愛知県名古屋市瑞穂区白龍町１−３７  ＴＥＬ：０８０−１２３４−４３２１」と入力した場合であっても、前述と同様、カテゴリグループ「Ｎａｍｅｐｌａｔｅ」に対しては「二郎」「部」の２つが抽出され、そのカウント数は２となる。
【００８０】
また、その後のカテゴリグループ「ＢｕｓｉｎｅｓｓＣａｒｄ」におけるテンプレートＴの絞り込みでは、上記テンプレートＴａでは、上記３つの「〒」「区」「ＴＥＬ」テンプレートキーワードの合致に加え、属性ＩＤ「名前」が合致し、合致数が合計４つとなる。上記テンプレートＴｂでは、上記２つの「部」「会社」のテンプレートキーワードの合致に加え、属性ＩＤ「名前」が合致し、合致数が合計３つとなる。
【００８１】
本変形例においては、上記実施形態と同様の効果に加え、上記属性ＩＤを用いることで、さらにきめ細かくかつ精度よく、操作者が操作入力したテキスト内容に対し関連性の高いテンプレートＴを精選することができる。
【００８２】
（３）その他
上記の例では、コンテンツの一例として、ラベル作成時に用いるテンプレートＴを例にとって説明したが、これに限られない。すなわち、その他のラベル作成に関連して使用される画像や、ＯＳやアプリケーションや各種ドライバ等のソフトウェア、などを本発明の処理対象としてもよい。この場合も同様の効果を得る。
【００８３】
さらに、上記の例では、操作端末２にインストールされるテンプレートＴを本発明の処理対象とした場合を例にとって説明したが、これに限られない。印字ラベルＬを作成するラベルプリンタ３に対しインストールされるテンプレートＴを、上記同様に本発明の処理対象としてもよい。この場合も同様の効果を得る。
【００８４】
また、図２の図中に示す矢印は信号の流れの一例を示すものであり、信号の流れ方向を限定するものではない。
【００８５】
また、図６に示すフローチャートは本発明を上記フローに示す手順に限定するものではなく、発明の趣旨及び技術的思想を逸脱しない範囲内で手順の追加・削除又は順番の変更等をしてもよい。
【００８６】
その他、一々例示はしないが、本発明は、その趣旨を逸脱しない範囲内において、種々の変更が加えられて実施されるものである。
【符号の説明】
【００８７】
１                テンプレート情報処理システム
２                操作端末
３                ラベルプリンタ（印字ラベル作成装置）
１２              ＣＰＵ（演算手段）
１４              操作部（操作手段）
１７              表示部（表示手段）
Ｌ                印字ラベル
ＳＶ              コンテンツサーバ
Ｔ                テンプレート
【図１】
2013205984.tif 000004
【図２】
2013205984.tif 000005
【図３】
2013205984.tif 000006
【図４】
2013205984.tif 000007
【図５】
2013205984.tif 000008
【図６】
2013205984.tif 000009
【図７】
2013205984.tif 000010
【図８】
2013205984.tif 000011
【図９】
2013205984.tif 000012
【図１０】
2013205984.tif 000013
【図１１】
2013205984.tif 000014